【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
コンパウンドの混合物と、少なくとも部分的に個別の界面活性剤粒子として微粒子状界面活性剤粒子とを含んでなる粒子であって、
該微粒子状界面活性剤粒子は、
・０.０５ｍｍ〜０.６ｍｍの粒径ｄ５０、
・０％以上最大０.１％の微粉含量、
・少なくとも１重量％から最大３０重量％までの界面活性剤、および
・少なくとも１０重量％から最大４０重量％までの炭酸ナトリウム
を有する(示した重量％は、微粒子状界面活性剤粒子の総重量に基づく)、
粒子。
【請求項２】
粒子は、０％以上０.２％以下の微粉含量を有する請求項１に記載の粒子。
【請求項３】
粒子は、コンパウンドの混合物と、第一次および／または第二次界面活性剤粒子として微粒子状界面活性剤粒子を含んでなる、請求項１または２に記載の粒子。
【請求項４】
粒子は、０.１ｍｍ〜１.５ｍｍの粒径ｄ５０を有する、請求項１〜３のいずれかに記載の粒子。
【請求項５】
粒子は、少なくとも４００ｇ／ｌのかさ密度を有する、請求項１〜４のいずれかに記載の粒子。
【請求項６】
粒子は、少なくとも８０％の自由流動性を有する、請求項１〜５のいずれかに記載の粒子。
【請求項７】
粒子は、水温１０℃にて最大９０秒の溶解時間および／または水温３０℃にて最大９０秒の溶解時間を示す、請求項１〜６のいずれかに記載の粒子。
【請求項８】
１ｇの粒子は、１０℃に保持した１５°ｄの水道水中、１％以上５％以下の残留限度を有する、請求項１〜７のいずれかに記載の粒子。
【請求項９】
１ｇの粒子の少なくとも９６重量％以上が、１０℃に保持した水硬度１５°ｄの水道水２００ｍｌ中に９０秒以下の溶解時間内に溶解し、および／または１ｇの粒子の少なくとも９６重量％以上が、３０℃に保持した水硬度１５°ｄの水道水２００ｍｌ中に９０秒以下の溶解時間内に溶解する、請求項１〜８のいずれかに記載の粒子。
【請求項１０】
０重量％以上４重量％以下の残渣は、１ｇの粒子から、１０℃に保持した水硬度１５°ｄの水道水２００ｍｌ中、９０秒の溶解時間内に形成され、および／または０重量％以上２重量％以下の残渣は、１ｇの粒子から、３０℃に保持した水硬度１５°ｄの水道水２００ｍｌ中、９０秒の溶解時間内に形成される、請求項１〜９のいずれかに記載の粒子。
【請求項１１】
凝集試験において、粒子は、０ｇ以上１ｇ以下の値を有する、請求項１〜１０のいずれかに記載の粒子。
【請求項１２】
沈降試験において、粒子は、０ｍｌ以上２ｍｌ以下の値を有する、請求項１〜１１のいずれかに記載の粒子。
【請求項１３】
粒子の総重量に基づいて、
・粒子の０重量％以上５重量％までは、０.１ｍｍ未満の粒径を有し、
・粒子の１〜１０重量％は、０.２ｍｍ未満０.１ｍｍまでの粒径を有し、
・粒子の５０〜７０重量％は、０.４ｍｍ未満０.２ｍｍまでの粒径を有し、
・粒子の２０〜４５重量％は、０.８ｍｍ未満０.４ｍｍまでの粒径を有し、
・粒子の０重量％以上５重量％までは、１.６ｍｍ未満０.８ｍｍまでの粒径を有し、
ここで各重量範囲は、合計で最大１００重量％になるように選択される、請求項１〜１２のいずれかに記載の粒子。
【請求項１４】
粒子の総重量に基づいて、
・粒子の０重量％以上２重量％までは、０.１ｍｍ未満の粒径を有し、
・粒子の１〜８重量％は、０.２ｍｍ未満０.１ｍｍまでの粒径を有し、
・粒子の５５〜６５重量％は、０.４ｍｍ未満０.２ｍｍまでの粒径を有し、
・粒子の２５〜４０重量％は、０.８ｍｍ未満０.４ｍｍまでの粒径を有し、
・粒子の０重量％以上４重量％までは、１.６ｍｍ未満０.８ｍｍまでの粒径を有し、
ここで各重量範囲は、合計で最大１００重量％になるように選択される、請求項１〜１３のいずれかに記載の粒子。
【請求項１５】
粒子の総重量に基づいて、
・粒子の０重量％以上１重量％までは、０.１ｍｍ未満の粒径を有し、
・粒子の１〜３重量％は、０.２ｍｍ未満０.１ｍｍまでの粒径を有し、
・粒子の６０〜６５重量％は、０.４ｍｍ未満０.２ｍｍまでの粒径を有し、
・粒子の３０〜３８重量％は、０.８ｍｍ未満０.４ｍｍまでの粒径を有し、
・粒子の０重量％以上２重量％までは、１.６ｍｍ未満０.８ｍｍまでの粒径を有し、
ここで各重量範囲は、合計で最大１００重量％になるように選択される、請求項１〜１４のいずれかに記載の粒子。
【請求項１６】
微粒子状界面活性剤粒子の重量割合は、微粒子状界面活性剤粒子を含んでなる粒子の総重量に基づいて、少なくとも１０重量％から最大９０重量％までである、請求項１〜１５のいずれかに記載の粒子。
【請求項１７】
粒子は、微粒子状界面活性剤粒子に加えて、洗剤-、ケア-および／または洗浄活性物質を含んでなる群から選択される少なくとも一つの成分を含んでなる、請求項１〜１６のいずれかに記載の粒子。
【請求項１８】
粒子は、少なくとも一つの成分で後処理されたものである、請求項１〜１７のいずれかに記載の粒子。
【請求項１９】
コンパウンドの混合物は、非イオン性界面活性剤と、炭酸塩および／または硫酸塩を含んでなる群から選択される少なくとも一つの塩とを含んでなる、請求項１〜１８のいずれかに記載の粒子。
【請求項２０】
コンパウンドの混合物は、陰イオン性界面活性剤、陽イオン性界面活性剤、両性界面活性剤、非イオン性界面活性剤、ビルダー、漂白剤、漂白活性化剤、漂白安定剤、漂白触媒、酵素、ポリマー、コビルダー、アルカリ化剤、酸性化剤、抗再沈着剤、銀保護剤、着色剤、蛍光増白剤、ＵＶ保護剤、柔軟剤、無機塩、有機塩および／またはすすぎ助剤を含んでなる群から選択される少なくとも一つの成分を含んでなる、請求項１〜１９のいずれかに記載の粒子。
【請求項２１】
粒子は、コンパウンドの混合物と微粒子状界面活性剤粒子とを、１：１０〜１０：１の重量比で含んでなる、請求項１〜２０のいずれかに記載の粒子。
【請求項２２】
最終製品であって、最終製品の総重量に基づいて、少なくとも５重量％かつ最大１００重量％の、請求項１〜２１のいずれかに記載の粒子または請求項１〜２１のいずれかに記載の粒子と微粒子状界面活性剤粒子とを含んでなり、
ここで各重量範囲は、合計で最大１００重量％になるように選択される、最終製品。
【請求項２３】
微粒子状界面活性剤粒子および／または粒子に加えて、洗剤-、ケア-および／または洗浄活性物質、陰イオン性界面活性剤、陽イオン性界面活性剤、両性界面活性剤、非イオン性界面活性剤、ビルダー、漂白剤、漂白活性化剤、漂白安定剤、漂白触媒、酵素、ポリマー、コビルダー、アルカリ化剤、酸性化剤、抗再沈着剤、銀保護剤、着色剤、蛍光増白剤、ＵＶ保護剤、柔軟剤、香料、発泡防止剤および／またはすすぎ助剤からなる群から選択される少なくとも一つの成分を含んでなる、請求項２２に記載の最終製品。
【請求項２４】
請求項１〜２１のいずれかに記載のコンパウンドの混合物と微粒子界面活性剤とを含んでなる粒子の製造方法であって、
・微粉化界面活性剤粒子を製造する工程と、
・微粉化界面活性剤粒子と少なくとも一つの洗剤-、ケア-および／または洗浄活性成分を含んでなる粒子を形成する工程と
を含み、ここで該粒子は、少なくとも部分的に個別の界面活性剤粒子として微粉化界面活性剤粒子を含んでなる、方法。
【請求項２５】
粒子を、微粉化界面活性剤粒子と、少なくとも一つの洗剤-、ケア-および／または洗浄活性成分を含んでなるコンパウンドの混合物とから本質的に製造する、請求項２４に記載のコンパウンドの混合物と個別の微粒子状界面活性剤粒子とを含んでなる粒子の製造方法。
【手続補正２】
【補正対象書類名】明細書
【補正対象項目名】０１６３
【補正方法】変更
【補正の内容】
【０１６３】
本発明の粒子を製造するため、微粒子状界面活性剤およびコンパウンドの混合物は、混合機(好適にはプラウシェアー混合機)の連続造粒ユニット中、微粒子状界面活性剤およびコンパウンドの混合物の総重量に基づいて２重量％の水と共に混合され得る。混合機中の滞留時間は、３００秒まで、好適には２０秒〜６０秒であり得る。３０秒〜４０秒の範囲の滞留時間が好適であり、３５秒が最も好適である。混合機がチョッパーと共に作動する場合が有利である。該混合物は、縦型混合機中、微粒子状界面活性剤およびコンパウンドの混合物の総重量に基づいて２重量％の水と共にその後顆粒化され得る。ここでナイフは、好適には３°に調整される。水(造粒水)を配給するための滞留時間は、好適には１秒である。次いで、該混合物は乾燥される。得られる本発明の粒子は、高いかさ密度と同時に高い自由流動性を有する。
本発明の好適な実施態様には、以下のものが含まれる。
〔１〕  コンパウンドの混合物と、少なくとも部分的に個別の界面活性剤粒子として微粒子状界面活性剤粒子とを含んでなる粒子(特に洗剤-、洗浄剤-および／またはケア用品粒子)であって、
該微粒子状界面活性剤粒子は、
・０.０５ｍｍ〜０.６ｍｍの粒径ｄ５０、
・０％以上最大０.１％の微粉含量、
・少なくとも１重量％から最大３０重量％までの界面活性剤、および
・少なくとも１０重量％から最大４０重量％までの炭酸ナトリウム
を有する(示した重量は、微粒子状界面活性剤粒子の総重量に基づく)、
粒子。
〔２〕  粒子は、０％以上０.２％以下、有利には最大０.１％、好適には最大０.０５％、特に好適には最大０.０１％の微粉含量を有する上記〔１〕に記載の粒子。
〔３〕  粒子は、コンパウンドの混合物と、第一次および／または第二次界面活性剤粒子として微粒子状界面活性剤粒子を含んでなる、上記〔１〕または〔２〕に記載の粒子。
〔４〕  粒子は、０.１ｍｍ〜１.５ｍｍの粒径ｄ５０、好適には０.４ｍｍ〜１.２ｍｍの粒径ｄ５０、特に好適には０.８ｍｍ〜１.０ｍｍの粒径ｄ５０を有する、上記〔１〕〜〔３〕のいずれかに記載の粒子。
〔５〕  粒子は、少なくとも４００ｇ／ｌ、有利には４５０ｇ／ｌよりも大きい、好適には５００ｇ／ｌ〜１２００ｇ／ｌ、特に６００ｇ／ｌ〜８００ｇ／ｌのかさ密度を有する、上記〔１〕〜〔４〕のいずれかに記載の粒子。
〔６〕  粒子は、少なくとも８０％、特に少なくとも９０％、有利には少なくとも９５％、好適には９９％から１００％以下の自由流動性を有する、上記〔１〕〜〔５〕のいずれかに記載の粒子。
〔７〕  粒子は、水温１０℃にて最大９０秒の溶解時間および／または水温３０℃にて最大９０秒の溶解時間を示す、上記〔１〕〜〔６〕のいずれかに記載の粒子。
〔８〕  １ｇの粒子は、１０℃に保持した１５°ｄの水道水中、１％以上５％以下、有利には１.５％以上４.５％以下、好適には２％以上４％以下、特に好適には２.５％以上３.５％以下の残留限度を有する、上記〔１〕〜〔７〕のいずれかに記載の粒子。
〔９〕  １ｇの粒子の少なくとも９６重量％以上が、１０℃に保持した水硬度１５°ｄの水道水２００ｍｌ中に９０秒以下の溶解時間内に溶解し、および／または１ｇの粒子の少なくとも９６重量％以上、有利には少なくとも９７重量％、好適には少なくとも９８重量％、特に好適には少なくとも９９重量％が、３０℃に保持した水硬度１５°ｄの水道水２００ｍｌ中に９０秒以下の溶解時間内に溶解する、上記〔１〕〜〔８〕のいずれかに記載の粒子。
〔１０〕  ０重量％以上４重量％以下、有利には１重量％以上３.５重量％以下、好適には２重量％以上３重量％以下の残渣は、１ｇの粒子から、１０℃に保持した水硬度１５°ｄの水道水２００ｍｌ中、９０秒の溶解時間内に形成され、および／または０重量％以上２重量％以下、有利には０.１重量％以上１.５重量％以下、好適には０.５重量％以上１重量％以下の残渣は、１ｇの粒子から、３０℃に保持した水硬度１５°ｄの水道水２００ｍｌ中、９０秒の溶解時間内に形成される、上記〔１〕〜〔９〕のいずれかに記載の粒子。
〔１１〕  凝集試験において、粒子は、０ｇ以上１ｇ以下、有利には０.５ｇ以下、好適には０.２ｇ以下、特に好適には０.１ｇ以下の値を有する、上記〔１〕〜〔１０〕のいずれかに記載の粒子。
〔１２〕  沈降試験において、粒子は、０ｍｌ以上２ｍｌ以下、有利には０.５ｍｌ以上１.８ｍｌ以下、好適には１ｍｌ以上１.６ｍｌ以下、特に好適には１.５ｍｌ以下の値を有する、上記〔１〕〜〔１１〕のいずれかに記載の粒子。
〔１３〕  粒子の総重量に基づいて、
・粒子の０重量％以上５重量％までは、０.１ｍｍ未満の粒径を有し、
・粒子の１〜１０重量％は、０.２ｍｍ未満０.１ｍｍまでの粒径を有し、
・粒子の５０〜７０重量％は、０.４ｍｍ未満０.２ｍｍまでの粒径を有し、
・粒子の２０〜４５重量％は、０.８ｍｍ未満０.４ｍｍまでの粒径を有し、
・粒子の０重量％以上５重量％までは、１.６ｍｍ未満０.８ｍｍまでの粒径を有し、
ここで各重量範囲は、合計で最大１００重量％になるように選択される、上記〔１〕〜〔１２〕のいずれかに記載の粒子。
〔１４〕  粒子の総重量に基づいて、
・粒子の０重量％以上２重量％までは、０.１ｍｍ未満の粒径を有し、
・粒子の１〜８重量％は、０.２ｍｍ未満０.１ｍｍまでの粒径を有し、
・粒子の５５〜６５重量％は、０.４ｍｍ未満０.２ｍｍまでの粒径を有し、
・粒子の２５〜４０重量％は、０.８ｍｍ未満０.４ｍｍまでの粒径を有し、
・粒子の０重量％以上４重量％までは、１.６ｍｍ未満０.８ｍｍまでの粒径を有し、
ここで各重量範囲は、合計で最大１００重量％になるように選択される、上記〔１〕〜〔１３〕のいずれかに記載の粒子。
〔１５〕  粒子の総重量に基づいて、
・粒子の０重量％以上１重量％までは、０.１ｍｍ未満の粒径を有し、
・粒子の１〜３重量％は、０.２ｍｍ未満０.１ｍｍまでの粒径を有し、
・粒子の６０〜６５重量％は、０.４ｍｍ未満０.２ｍｍまでの粒径を有し、
・粒子の３０〜３８重量％は、０.８ｍｍ未満０.４ｍｍまでの粒径を有し、
・粒子の０重量％以上２重量％までは、１.６ｍｍ未満０.８ｍｍまでの粒径を有し、
ここで各重量範囲は、合計で最大１００重量％になるように選択される、上記〔１〕〜〔１４〕のいずれかに記載の粒子。
〔１６〕  微粒子状界面活性剤粒子の重量割合は、微粒子状界面活性剤粒子を含んでなる粒子の総重量に基づいて、少なくとも１０重量％から最大９０重量％まで、有利には１５重量％〜８０重量％、好適には２０重量％〜７０重量％、さらに好適には３０重量％〜４０重量％、最も好適には３４重量％〜３８重量％である、上記〔１〕〜〔１５〕のいずれかに記載の粒子。
〔１７〕  粒子は、微粒子状界面活性剤粒子に加えて、洗剤-、ケア-および／または洗浄活性物質、特に陰イオン性界面活性剤、陽イオン性界面活性剤、両性界面活性剤、非イオン性界面活性剤、ビルダー、漂白剤、漂白活性化剤、漂白安定剤、漂白触媒、酵素、ポリマー、コビルダー、アルカリ化剤、酸性化剤、抗再沈着剤、銀保護剤、着色剤、蛍光増白剤、ＵＶ保護剤、柔軟剤、香料、発泡防止剤および／またはすすぎ助剤を含んでなる群から選択される少なくとも一つ(好適には複数)の成分を含んでなる、上記〔１〕〜〔１６〕のいずれかに記載の粒子。
〔１８〕  粒子は、少なくとも一つの成分で後処理されたものであり、ここで該成分の量は、各々後処理される粒子を含んでなる剤の総重量に基づいて、好適には１５重量％まで、特に２〜１５重量％である、上記〔１〕〜〔１７〕のいずれかに記載の粒子。
〔１９〕  コンパウンドの混合物は、好適には、非イオン性界面活性剤と、炭酸塩(有利には炭酸ナトリウム、炭酸水素ナトリウム)および／または硫酸塩(有利には硫酸ナトリウム)を含んでなる群から選択される少なくとも一つの塩とを含んでなる、上記〔１〕〜〔１８〕のいずれかに記載の粒子。
〔２０〕  コンパウンドの混合物は、陰イオン性界面活性剤、陽イオン性界面活性剤、両性界面活性剤、非イオン性界面活性剤、ビルダー、漂白剤、漂白活性化剤、漂白安定剤、漂白触媒、酵素、ポリマー、コビルダー、アルカリ化剤、酸性化剤、抗再沈着剤、銀保護剤、着色剤、蛍光増白剤、ＵＶ保護剤、柔軟剤、無機塩、有機塩および／またはすすぎ助剤を含んでなる群から選択される少なくとも一つの成分を含んでなる、上記〔１〕〜〔１９〕のいずれかに記載の粒子。
〔２１〕  粒子は、コンパウンドの混合物と微粒子状界面活性剤粒子とを、１：１０〜１０：１、有利には１：５〜５：１、好適には１：３〜３：１、特に好適には１：２〜２：１の重量比で含んでなる、および最も好適にはコンパウンドの混合物と微粒子状界面活性剤粒子とを、１：２.７５の重量比で含んでなる、上記〔１〕〜〔２０〕のいずれかに記載の粒子。
〔２２〕  最終製品(特に洗剤、洗浄剤またはケア用品最終製品)であって、最終製品の総重量に基づいて、少なくとも５重量％かつ最大１００重量％、有利には少なくとも３０重量％、好適には少なくとも４０重量％、さらに好適には少なくとも７０重量％、さらにより好適には少なくとも９０重量％、最も好適には少なくとも９５重量％の、上記〔１〕〜〔２１〕のいずれかに記載の粒子または上記〔１〕〜〔２１〕のいずれかに記載の粒子と微粒子状界面活性剤粒子とを含んでなり、
ここで各重量範囲は、合計で最大１００重量％になるように選択される、最終製品。
〔２３〕  微粒子状界面活性剤粒子および／または粒子に加えて、洗剤-、ケア-および／または洗浄活性物質、陰イオン性界面活性剤、陽イオン性界面活性剤、両性界面活性剤、非イオン性界面活性剤、ビルダー、漂白剤、漂白活性化剤、漂白安定剤、漂白触媒、酵素、ポリマー、コビルダー、アルカリ化剤、酸性化剤、抗再沈着剤、銀保護剤、着色剤、蛍光増白剤、ＵＶ保護剤、柔軟剤、香料、発泡防止剤および／またはすすぎ助剤からなる群から選択される少なくとも一つ(好適には複数)の成分を含んでなる、上記〔２２〕に記載の最終製品。
〔２４〕  上記〔１〕〜〔２１〕のいずれかに記載のコンパウンドの混合物と微粒子界面活性剤とを含んでなる粒子の製造方法であって、
・微粉化界面活性剤粒子を製造する工程と、
・微粉化界面活性剤粒子と少なくとも一つの洗剤-、ケア-および／または洗浄活性成分を含んでなる粒子を形成する工程と
を含み、ここで該粒子は、少なくとも部分的に個別の界面活性剤粒子として微粉化界面活性剤粒子を含んでなる、方法。
〔２５〕  粒子を、微粉化界面活性剤粒子と、少なくとも一つの洗剤-、ケア-および／または洗浄活性成分を含んでなるコンパウンドの混合物とから本質的に製造する、上記〔２４〕に記載のコンパウンドの混合物と個別の微粒子状界面活性剤粒子とを含んでなる粒子の製造方法。
〔２６〕  ４５０ｇ／ｌよりも高いかさ密度を有する、コンパウンドの混合物と、少なくとも部分的に個別の界面活性剤粒子として微粒子状界面活性剤粒子とを含んでなる粒子(特に洗剤-、洗浄剤-および／またはケア用品粒子)であって、
該微粒子状界面活性剤粒子は、
・０.０５ｍｍ〜０.６ｍｍの粒径ｄ５０、
・０％以上最大０.１％の微粉含量、
・少なくとも１重量％から最大３０重量％までの界面活性剤、および
・少なくとも１０重量％から最大４０重量％までの炭酸ナトリウム
を有し(示した重量は、微粒子状界面活性剤粒子の総重量に基づく)、および、
該粒子は、好適には０％以上０.２％以下の微粉含量を有する、粒子。
〔２７〕  粒子は、最大０.１％、好適には最大０.０５％、特に好適には最大０.０１％の微粉含量を有する、上記〔２６〕に記載の粒子。
〔２８〕  粒子は、コンパウンドの混合物と、第一次および／または第二次界面活性剤粒子として微粒子状界面活性剤粒子を含んでなる、上記〔２６〕または〔２７〕に記載の粒子。
〔２９〕  粒子は、０.１ｍｍ〜１.５ｍｍの粒径ｄ５０、好適には０.４ｍｍ〜１.２ｍｍの粒径ｄ５０、特に好適には０.８ｍｍ〜１.０ｍｍの粒径ｄ５０を有する、上記〔２６〕〜〔２８〕のいずれかに記載の粒子。
〔３０〕  粒子は、５００ｇ／ｌ〜１２００ｇ／ｌ、好適には６００ｇ／ｌ〜８００ｇ／ｌのかさ密度を有する、上記〔２６〕〜〔２９〕のいずれかに記載の粒子。
〔３１〕  粒子は、少なくとも８０％、特に少なくとも９０％、有利には少なくとも９５％、好適には９９％から１００％以下の自由流動性を有する、上記〔２６〕〜〔３０〕のいずれかに記載の粒子。
〔３２〕  粒子は、水温１０℃にて最大９０秒の溶解時間および／または水温３０℃にて最大９０秒の溶解時間を示す、上記〔２６〕〜〔３１〕のいずれかに記載の粒子。
〔３３〕  １ｇの粒子は、１０℃に保持した１５°ｄの水道水中、１％以上５％以下、有利には１.５％以上４.５％以下、好適には２％以上４％以下、特に好適には２.５％以上３.５％以下の残留限度を有する、上記〔２６〕〜〔３２〕のいずれかに記載の粒子。
〔３４〕  １ｇの粒子の少なくとも９６重量％以上が、１０℃に保持した水硬度１５°ｄの水道水２００ｍｌ中に９０秒以下の溶解時間内に溶解し、および／または１ｇの粒子の少なくとも９６重量％以上、有利には少なくとも９７重量％、好適には少なくとも９８重量％、特に好適には少なくとも９９重量％が、３０℃に保持した水硬度１５°ｄの水道水２００ｍｌ中に９０秒以下の溶解時間内に溶解する、上記〔２６〕〜〔３３〕のいずれかに記載の粒子。
〔３５〕  ０重量％以上４重量％以下、有利には１重量％以上３.５重量％以下、好適には２重量％以上３重量％以下の残渣は、１ｇの粒子から、１０℃に保持した水硬度１５°ｄの水道水２００ｍｌ中、９０秒の溶解時間内に形成され、および／または０重量％以上２重量％以下、有利には０.１重量％以上１.５重量％以下、好適には０.５重量％以上１重量％以下の残渣は、１ｇの粒子から、３０℃に保持した水硬度１５°ｄの水道水２００ｍｌ中、９０秒の溶解時間内に形成される、上記〔２６〕〜〔３４〕のいずれかに記載の粒子。
〔３６〕  凝集試験において、粒子は、０ｇ以上１ｇ以下、有利には０.５ｇ以下、好適には０.２ｇ以下、特に好適には０.１ｇ以下の値を有する、上記〔２６〕〜〔３５〕のいずれかに記載の粒子。
〔３７〕  沈降試験において、粒子は、０ｍｌ以上２ｍｌ以下、有利には０.５ｍｌ以上１.８ｍｌ以下、好適には１ｍｌ以上１.６ｍｌ以下、特に好適には１.５ｍｌ以下の値を有する、上記〔２６〕〜〔３６〕のいずれかに記載の粒子。
〔３８〕  粒子の総重量に基づいて、
・粒子の０重量％以上５重量％までは、０.１ｍｍ未満の粒径を有し、
・粒子の１〜１０重量％は、０.２ｍｍ未満０.１ｍｍまでの粒径を有し、
・粒子の５０〜７０重量％は、０.４ｍｍ未満０.２ｍｍまでの粒径を有し、
・粒子の２０〜４５重量％は、０.８ｍｍ未満０.４ｍｍまでの粒径を有し、
・粒子の０重量％以上５重量％までは、１.６ｍｍ未満０.８ｍｍまでの粒径を有し、
ここで各重量範囲は、合計で最大１００重量％になるように選択される、上記〔２６〕〜〔３７〕のいずれかに記載の粒子。
〔３９〕  粒子の総重量に基づいて、
・粒子の０重量％以上２重量％までは、０.１ｍｍ未満の粒径を有し、
・粒子の１〜８重量％は、０.２ｍｍ未満０.１ｍｍまでの粒径を有し、
・粒子の５５〜６５重量％は、０.４ｍｍ未満０.２ｍｍまでの粒径を有し、
・粒子の２５〜４０重量％は、０.８ｍｍ未満０.４ｍｍまでの粒径を有し、
・粒子の０重量％以上４重量％までは、１.６ｍｍ未満０.８ｍｍまでの粒径を有し、
ここで各重量範囲は、合計で最大１００重量％になるように選択される、上記〔２６〕〜〔３８〕のいずれかに記載の粒子。
〔４０〕  粒子の総重量に基づいて、
・粒子の０重量％以上１重量％までは、０.１ｍｍ未満の粒径を有し、
・粒子の１〜３重量％は、０.２ｍｍ未満０.１ｍｍまでの粒径を有し、
・粒子の６０〜６５重量％は、０.４ｍｍ未満０.２ｍｍまでの粒径を有し、
・粒子の３０〜３８重量％は、０.８ｍｍ未満０.４ｍｍまでの粒径を有し、
・粒子の０重量％以上２重量％までは、１.６ｍｍ未満０.８ｍｍまでの粒径を有し、
ここで各重量範囲は、合計で最大１００重量％になるように選択される、上記〔２６〕〜〔３９〕のいずれかに記載の粒子。
〔４１〕  微粒子状界面活性剤粒子の重量割合は、微粒子状界面活性剤粒子を含んでなる粒子の総重量に基づいて、少なくとも１０重量％から最大９０重量％まで、有利には１５重量％〜８０重量％、好適には２０重量％〜７０重量％、さらに好適には３０重量％〜４０重量％、最も好適には３４重量％〜３８重量％である、上記〔２６〕〜〔４０〕のいずれかに記載の粒子。
〔４２〕  粒子は、微粒子状界面活性剤粒子に加えて、洗剤-、ケア-および／または洗浄活性物質、特に陰イオン性界面活性剤、陽イオン性界面活性剤、両性界面活性剤、非イオン性界面活性剤、ビルダー、漂白剤、漂白活性化剤、漂白安定剤、漂白触媒、酵素、ポリマー、コビルダー、アルカリ化剤、酸性化剤、抗再沈着剤、銀保護剤、着色剤、蛍光増白剤、ＵＶ保護剤、柔軟剤、香料、発泡防止剤および／またはすすぎ助剤を含んでなる群から選択される少なくとも一つ(好適には複数)の成分を含んでなる、上記〔２６〕〜〔４１〕のいずれかに記載の粒子。
〔４３〕  粒子は、少なくとも一つの成分で後処理されたものであり、ここで該成分の量は、各々後処理される粒子を含んでなる剤の総重量に基づいて、好適には１５重量％まで、特に２〜１５重量％である、上記〔２６〕〜〔４２〕のいずれかに記載の粒子。
〔４４〕  コンパウンドの混合物は、好適には、非イオン性界面活性剤と、炭酸塩(有利には炭酸ナトリウム、炭酸水素ナトリウム)および／または硫酸塩(有利には硫酸ナトリウム)を含んでなる群から選択される少なくとも一つの塩とを含んでなる、上記〔２６〕〜〔４３〕のいずれかに記載の粒子。
〔４５〕  コンパウンドの混合物は、陰イオン性界面活性剤、陽イオン性界面活性剤、両性界面活性剤、非イオン性界面活性剤、ビルダー、漂白剤、漂白活性化剤、漂白安定剤、漂白触媒、酵素、ポリマー、コビルダー、アルカリ化剤、酸性化剤、抗再沈着剤、銀保護剤、着色剤、蛍光増白剤、ＵＶ保護剤、柔軟剤、無機塩、有機塩および／またはすすぎ助剤を含んでなる群から選択される少なくとも一つの成分を含んでなる、上記〔２６〕〜〔４４〕のいずれかに記載の粒子。
〔４６〕  粒子は、コンパウンドの混合物と微粒子状界面活性剤粒子とを、１：１０〜１０：１、有利には１：５〜５：１、好適には１：３〜３：１、特に好適には１：２〜２：１の重量比で含んでなる、および最も好適にはコンパウンドの混合物と微粒子状界面活性剤粒子とを、１：２.７５の重量比で含んでなる、上記〔２６〕〜〔４５〕のいずれかに記載の粒子。
〔４７〕  最終製品(特に洗剤、洗浄剤またはケア用品最終製品)であって、最終製品の総重量に基づいて、少なくとも５重量％かつ最大１００重量％、有利には少なくとも３０重量％、好適には少なくとも４０重量％、さらに好適には少なくとも７０重量％、さらにより好適には少なくとも９０重量％、最も好適には少なくとも９５重量％の、上記〔２６〕〜〔４６〕のいずれかに記載の粒子または上記〔２６〕〜〔４６〕のいずれかに記載の粒子と微粒子状界面活性剤粒子とを含んでなり、
ここで各重量範囲は、合計で最大１００重量％になるように選択される、最終製品。
〔４８〕  微粒子状界面活性剤粒子および／または粒子に加えて、洗剤-、ケア-および／または洗浄活性物質、陰イオン性界面活性剤、陽イオン性界面活性剤、両性界面活性剤、非イオン性界面活性剤、ビルダー、漂白剤、漂白活性化剤、漂白安定剤、漂白触媒、酵素、ポリマー、コビルダー、アルカリ化剤、酸性化剤、抗再沈着剤、銀保護剤、着色剤、蛍光増白剤、ＵＶ保護剤、柔軟剤、香料、発泡防止剤および／またはすすぎ助剤からなる群から選択される少なくとも一つ(好適には複数)の成分を含んでなる、上記〔４７〕に記載の最終製品。
〔４９〕  上記〔２６〕〜〔４６〕のいずれかに記載のコンパウンドの混合物と微粒子界面活性剤とを含んでなる粒子の製造方法であって、
・微粉化界面活性剤粒子を製造する工程と、
・微粉化界面活性剤粒子と少なくとも一つの洗剤-、ケア-および／または洗浄活性成分を含んでなる粒子を形成する工程と
を含み、ここで該粒子は、少なくとも部分的に個別の界面活性剤粒子として微粉化界面活性剤粒子を含んでなる、方法。
〔５０〕  粒子を、微粉化界面活性剤粒子と、少なくとも一つの洗剤-、ケア-および／または洗浄活性成分を含んでなるコンパウンドの混合物とから本質的に製造する、上記〔４９〕に記載のコンパウンドの混合物と個別の微粒子状界面活性剤粒子とを含んでなる粒子の製造方法。